(57)【特許請求の範囲】
【請求項１】
着脱可能な記録媒体に対して情報を記録再生する記録再生手段を有する記録再生装置の制御方法であって、
所定の周期で、前記記録媒体へ命令信号を送信し、前記命令信号に対する前記記録媒体からの応答が有るか否かによって、前記記録媒体が装着されているか否かを検知する検知ステップと、
前記記録媒体に対して情報を記録する記録モードと再生する再生モードとを含む複数の動作モードを設定する設定ステップと、
前記動作モードに応じて前記周期を異ならせるように制御する制御ステップとを有することを特徴とする記録再生装置の制御方法。
【請求項２】
前記制御ステップは、前記動作モードが前記記録モードの場合、前記周期を他のモードのときに比べて短くなるように制御することを特徴とする請求項１記載の制御方法。
【請求項３】
前記記録再生手段は、前記記録媒体とは異なる第２の記録媒体に対して情報を記録再生し、
前記設定ステップは、前記第２の記録媒体に対して情報を記録するモードと、前記第２の記録媒体より情報を再生するモードとを含む複数の動作モードを設定することを特徴とする請求項１記載の制御方法。
【請求項４】
着脱可能な記録媒体に対して情報を記録再生する記録再生手段と、
所定の周期で、前記記録媒体へ命令信号を送信し、前記命令信号に対する前記記録媒体からの応答が有るか否かによって、前記記録媒体が装着されているか否かを検知する検知手段と、
前記記録媒体に対して情報を記録する記録モードと再生する再生モードとを含む複数の動作モードを設定する設定手段と、
前記動作モードに応じて前記周期を異ならせるように前記検知手段を制御する制御手段とを有することを特徴とする記録再生装置。
【請求項５】
前記制御手段は、前記動作モードが記録モードの場合、前記周期を他のモードのときに比べて短くなるように前記検知手段を制御することを特徴とする請求項４記載の記録再生装置。
【請求項６】
前記記録再生手段は、前記記録媒体とは異なる第２の記録媒体に対して情報を記録再生し、
前記設定手段は、前記第２の記録媒体に対して情報を記録するモードと、前記第２の記録媒体より情報を再生するモードとを含む複数の動作モードを設定することを特徴とする請求項４記載の記録再生装置。
【発明の詳細な説明】
【０００１】
【発明の属する技術分野】
本発明は、記録再生装置及びその制御方法に関する。
【０００２】
【従来の技術】
現在、デジタルカムコーダ等の記録再生装置（映像機器）で着脱可能なメモリカードを搭載したものが多く存在する。
【０００３】
昨今このようなメモリカードは、多くの種類が提案されており、メカ的外形サイズや電気的インターフェース、更にはデータ通信の方法まで、様々な違いがある。
【０００４】
メモリカードが記録再生装置本体に装着されたことを検知する方法もその違いの１つに挙げられる。
【０００５】
例えば、米国ＳＡＮＤＩＳＫ社等が提唱するＣＦ（Ｃｏｍｐａｃｔ  Ｆｌａｓｈ）カードの場合は、後述するように、カードの装着を本体に知らせるための専用の端子が設けられている。
【０００６】
これに対して、同じく米国ＳＡＮＤＩＳＫ社等が提唱するＭＭＣ（ＭｕｌｔｉＭｅｄｉａ  Ｃａｒｄ）の場合は、ＣＦカードのようなカード装着専用の端子が存在しない。つまり、カードの本体への装着の有無検知はＣＦカードのように簡単には行なえない。
【０００７】
以下に、ＣＦカードとＭＭＣの場合のカードの検知方法について説明する。
【０００８】
図１１は、米国ＳＡＮＤＩＳＫ社等が提唱するＣＦカードの場合を示す図である。両図において、１１０１は本体ＨＯＳＴ（ホスト）、１１０２はＣＦカード（ＣＡＲＤ）である。
【０００９】
ＣＦカード１１０２は、ＰＣＭＣＩＡアクセスモードとＩＤＥアクセスモードとがあるが図１１では、ＩＤＥアクセスモードでの本体ＨＯＳＴ１１０１との接続関係を示している。
【００１０】
図１１に示すように、一種のパラレルＩＯであり、３本のアドレス線（ＡＤＲ［２：０］）１１０３と１６本のデータ線（ＤＡＴ［１５：０］）１１０４、２本のセレクト信号線（ＣＳ［１：０］）１１０５とリセット信号線１１０６（ＲＥＳＥＴ）、カード検知信号線（ＣＤ）１１０７等で接続される。
【００１１】
データの読み書きは、アドレス線、データ線、セレクト信号を介して行なわれる。また、カードに記録するデータは、一般にあるファイル形式（例えば、ＤＯＳ  ＦＡＴ  ＦＯＲＭＡＴ等）に従ってデータが保管される。
【００１２】
そのため、本体ＨＯＳＴ１１０１はカードに対するデータの読み書きの際には、データを所定のファイル形式で管理しながら行なう。
【００１３】
これは比較的複雑な作業であるので、本体ＨＯＳＴ１１０１のＣＰＵ（Ｃｅｎｔｒａｌ  Ｐｒｏｃ  ｅｓｓｉｎｇ  Ｕｎｉｔ：中央処理装置）等は、適当なＯＳ（Ｏｐｅｒａｔｉｎｇ  Ｓｙ  ｓｔｅｍ：オペレーティングシステム）の管理の下で実行する。
【００１４】
以下、カード装着の有無の検出について説明する。
【００１５】
図１１（ａ）において、ＣＦカード１１０２側のＣＤ端子は、ＣＦカード１１０２内部でＧＮＤ（グランド）に接続されている。また、本体ＨＯＳＴ１１０１側のＣＤｉｎｐｕｔは、適当な抵抗値で電源にプルアップされている。
【００１６】
従って、ＣＦカード１１０２が本体ＨＯＳＴ１１０１に装着された状態では、図１１（ａ）に示すように、本体ＨＯＳＴ１１０１側のＣＤｉｎｐｕｔは、ＣＦカード１１０２側のＧＮＤに引かれてＬｏｗレベルになる。
【００１７】
また、ＣＦカード１１０２が本体ＨＯＳＴ１１０１に装着されていない状態では、図１１（ｂ）に示すように、電源側のプルアップにより本体ＨＯＳＴ１１０１側のＣＤｉｎｐｕｔは、Ｈｉｇｈレベルになる。
【００１８】
このように、ＣＦカードの場合は、ＣＦカード装着の有無の検知と、ＣＦカードへのデータの書き込み読み出しとは、別々の信号で行なうことができる。
【００１９】
つまり、ＣＦカードの場合は、ＣＦカード装着の有無の検知は本体ＨＯＳＴ１１０１側でＣＰＵのＯＳを起動することなく、１本の入力ピンの状態のレベルを検知すれば、簡単にＣＦカード装着の有無の検知を行なうことができる。
【００２０】
ところでシステムとしては、何時でもＣＦカードの装着の有無を検知できることが望ましい。仮にＣＦカードの有無の検知をデータの読み書きを行なうＯＳの管理下で行なうことを考える。
【００２１】
一般には、ＣＰＵのＯＳの起動は時間がかかる。従って、何時でもＣＦカードの装着の有無を検知しようとすると、ＣＰＵのＯＳを常時起動しておかなければならない。これは消費電力の増大を伴う。
【００２２】
従って、ＣＦカードを使用するシステムでは、ＣＦカードの装着の有無検知処理は、比較的消費電力が少なく、ＯＳを起動する必要のない別のＣＰＵ等で行なうことが望ましい。これにより何時でもＣＦカードの装着の有無を検知できるようにしている。
【００２３】
一方、前記ＣＦカードのようなカード検出端子の無いカードが存在する。
【００２４】
図１２は、前記ＣＦカードと同様、米国ＳＡＮＤＩＳＫ社等が提唱するＭＭＣ（Ｍｕｌｔｉ  Ｍｅｄｉａ  Ｃａｒｄ）の場合を示す図で、本体ＨＯＳＴのカード処理部とＭＭＣとの間の接続関係を示している。
【００２５】
図１２において、１２０１はカード処理部、１２０２はＭＭＣ（ＣＡＲＤ）である。１２０３はＣＭＤ信号線で、カード処理部１２０１からＭＭＣ１２０２への命令（ＣＭＤ）信号の送出と、ＭＭＣ１２０２からカード処理部１２０１への返答のための信号線である。１２０４はＤＡＴ信号線で、カード処理部１２０１からＭＭＣ１２０２へのデータの書き込みと、ＭＭＣ１２０２からカード処理部１２０１へのデータの読み出しのための信号線である。１２０５はＣＬＫ信号線で、カード処理部１２０１からＭＭＣ１２０２へ送出されるクロック信号の信号線であり、図１３（ａ）に示すようなクロック（ＣＬＫ）信号に同期して、図１３（ｂ）に示すようなＣＭＤやＤＡＴの信号が伝送される。
【００２６】
また、図１４（ｂ）に示すように、カード処理部１１０１からのＣＬＫ信号に同期して、図１４（ａ）に示すように命令（ＣＭＤ）信号が送出されると、ＭＭＣ１２０２からはＣＭＤに対する返答信号が送出される。
【００２７】
ＭＭＣ１２０２が本体ＨＯＳＴに装着されているか否かは、図１４（ａ）に示すようにカード処理部１２０１からの命令（ＣＭＤ）信号に対して、ＭＭＣ２１０２から返答があるか否かで判断する。つまり、正しく返答があればＭＭＣ１２０２が本体ＨＯＳＴに装着されていると判断し、返答が無ければＭＭＣ１２０２が本体ＨＯＳＴに装着されていないと判断する。
【００２８】
【発明が解決しようとする課題】
このようにシリアル通信による方法は、ＣＰＵが直接端子を検出できるものではなく、実際にはシリアル／パラレル変換回路を介して通信することになり複雑である。
【００２９】
また、データの読み書きを行なう場合は、ＭＭＣ１２０２内部にアクセスするために複雑なプロトコルが必要である。
【００３０】
プログラムのサイズの増大や複雑さを回避するためには、本体ＨＯＳＴ側のＣＰＵとしては、データの読み書きはＯＳの管理下で行なう。
【００３１】
従って、ＭＭＣ１２０２の装着の有無の検知処理もＯＳの管理下で実行することが望ましい。
【００３２】
勿論同じＣＰＵで、ＯＳの管理下とは独立に専用のプログラムを実行して、ＭＭＣ１２０２の装着の有無を検知することも可能であるが、プログラムの構造が複雑になってしまう。
【００３３】
そこで、ＭＭＣ１２０２の装着の有無の検知処理もＯＳの管理下で実行するものとすると、先に述べたように、ＯＳの起動には時間がかかるため、何時でもＭＭＣ１２０２の装着の有無を検知できるようにすると、ＣＰＵのＯＳを常時起動しておかなければならない。
【００３４】
このように、カード装着の有無検知専用端子を持たないカードでは、カードの装着の有無の検知を何時でも可能になるように優先すると、システムの消費電力が増大してしまう。
【００３５】
逆に、消費電力を増大させないために、カートの装着の有無の検知の実行頻度を単純に下げると、カードにデータを書き込もうとした瞬間にカードが装着してないことに気付いたりして、結果的に撮影の機会を逃してしまうことになる。
【００３６】
本発明は上述した従来の技術の有するこのような問題点に鑑みてなされたものであり、その第１の目的とするところは、カードにデータを書き込もうとした瞬間にカードが装着してないことに気付いたりして、結果的に撮影の機会を逃してしまう等の失敗を防ぐことが可能な記録再生装置及びその制御方法を提供することにある。
【００３９】
また、本発明の第３の目的とするところは、システムのコストを削減することが可能な記録再生装置及びその制御方法を提供することにある。
【００４１】
【課題を解決するための手段】
上記第１の目的を達成するために、請求項１記載の記録再生装置の制御方法は、着脱可能な記録媒体に対して情報を記録再生する記録再生手段を有する記録再生装置の制御方法であって、所定の周期で、前記記録媒体へ命令信号を送信し、前記命令信号に対する前記記録媒体からの応答が有るか否かによって、前記記録媒体が装着されているか否かを検知する検知ステップと、前記記録媒体に対して情報を記録する記録モードと再生する再生モードとを含む複数の動作モードを設定する設定ステップと、前記動作モードに応じて前記周期を異ならせるように制御する制御ステップとを有することを特徴とする。
【００６２】
【発明の実施の形態】
以下、本発明の各実施の形態を図面に基づき説明する。
【００６３】
（第１の実施の形態）
まず、本発明の第１の実施の形態を図１乃至図９に基づき説明する。
【００６４】
図１は、本実施の形態に係る記録再生装置の構成を示す図であり、同図（ａ）は正面斜視図、同図（ｂ）は背面斜視図である。
【００６５】
本実施の形態に係る記録再生装置は、記録媒体である磁気テープに動画像情報を記録するビデオカメラ装置にカード記録媒体を付加した構成の画像記録再生装置である。
【００６６】
図１において、１００は記録再生装置本体、１０１はレンズ部で、記録再生装置本体１００の全面所定位置に設けられている。１０２はＬＣＤ（液晶表示器）等の表示器で、記録再生装置本体１００の一側面所定位置に設けられている。１０３はテープモードスイッチ、１０４はカードモードスイッチ、１０５はテープトリガースイッチ、１０６はカードトリガースイッチ、１０７は操作スイッチで、これら各スイッチは、記録再生装置本体１００の背面所定位置に設けられている。
【００６７】
図２は、本実施の形態に係る記録再生装置の内部構成を示すブロック図であり、同図において、２０１はカメラ撮像部、２０２は表示部、２０３はテープ部、２０４はカード部、２０５はシステム制御部、２０６は操作部、２０７は電源制御部である。
【００６８】
カメラ撮像部２０１は、撮影レンズ部２０１ａ（図１のレンズ部１０１に相当する）、絞りやシャッター等の光学部材及び露光量制御部材及び撮像処理部２０１ｂを有している。撮像処理部２０１ｂは、光学像を電気信号に変換し、更に輝度信号や色差信号等を生成するものである。
【００６９】
表示部２０２は、表示器２０２ａ（図１の表示器１０２に相当する）及び表示処理部２０２ｂを有している。表示器２０２ａは、ＬＣＤ（液晶表示器）等からなるもので、画像や各種の情報を表示するものである。表示処理部２０２ｂは、表示器２０２ａに表示するための画像データの信号形式の交換処理等を行なうものである。
【００７０】
テープ部２０３は、記録媒体である磁気テープ（ＴＡＰＥ）２０３ａ及びテープ処理部２０３ｂを有している。磁気テープ２０３ａは画像を記録するものである。テープ処理部２０３ｂは、例えば、デジタルビデオのフォーマット形式に合うように画像信号を変換したり情報を付加したりする信号処理と、磁気テープ２０２ａの走行やテープドラム（記録再生ドラム）の回転を制御する駆動制御とを行なうものである。
【００７１】
カード部２０４は、記録媒体である不揮発性メモリ等からなるメモリカード  （ＣＡＲＤ）２０４ａ及びカード処理部２０４ｂを有している。カード２０４ａは、ここでは米国ＳＡＮＤＩＳＫ（サンディスク）社等が提唱するＭＭＣ（マルチメディアカード）やＳＤ（Ｓｅｃｕｒｅ  Ｄｉｇｉｔａｌ）メモリカード等を想定している。カード処理部２０４ｂは、カード２０４ａ用に画像の圧縮、伸長や画像フォーマット変換、更にカード２０４ａとの通信プロトコルを処理するものである。
【００７２】
システム制御部２０５は、データフロー制御部２０５ａ及びメインＣＰＵ（ＣＰＵ＿Ａ）２０５ｂを有している。データフロー制御部２０５ａは、カメラ撮像部２０１、表示部２０２、テープ部２０３、カード部２０４間のデータの流れを制御するものである。メインＣＰＵ（ＣＰＵ＿Ａ）２０５ｂは、データの流れや画像の記録、再生、表示等、全体の各種動作の制御を司るもので、後述するサブＣＰＵ（ＣＰＵ＿Ｂ）２０６ｆと連携を取って全体の制御を行なうものである。
【００７３】
操作部２０６は、テープ（ＴＡＰＥ）モードスイッチ２０６ａ（図１のテープモードスイッチ１０３に相当する）、カード（ＣＡＲＤ）モードスイッチ２０６ｂ（図１のカードモードスイッチ１０４に相当する）、テープ（ＴＡＰＥ）トリガースイッチ２０６ｃ（図１のテープトリガースイッチ１０５に相当する）、カード（ＣＡＲＤ）トリガースイッチ２０６ｄ（カードトリガースイッチ１０６に相当する）、スイッチ（図１の操作スイッチ１０７に相当する）２０６ｅ及びサブＣＰＵ（ＣＰＵ＿Ｂ）２０６ｆを有している。
【００７４】
テープ（ＴＡＰＥ）モードスイッチ２０６ａは、操作者が本装置に対してテープの記録や再生等、各種の動作指示を入力するための操作手段である。カード  （ＣＡＲＤ）モードスイッチ２０６ｂは、操作者が本装置に対してカードの記録や再生等、各種の動作指示を入力するための操作手段である。テープ（ＴＡＰＥ）トリガースイッチ２０６ｃは、テープへの画像の記録の開始、停止等を指示するものである。カード（ＣＡＲＤ）トリガースイッチ２０６ｄは、カード２０４ａへの画像の記録の開始、停止等を指示するものである。スイッチ（Ｓｗｉｔｃｈ）２０６ｅは、その他のカメラ撮像部２０１の撮影レンズ部２０１ａのズーム操作スイッチや詳細な設定を行なうためのメニューボタン或いはセットボタン等からなる。
【００７５】
サブＣＰＵ（ＣＰＵ＿Ｂ）２０６ｆは、各スイッチ等の状態を判断するもので、システム制御部２０５のメインＣＰＵ（ＣＰＵ＿Ａ）２０５ｂと連携を取って制御を行なう。電源制御部２０７は、電池検出回路、ＤＣ−ＤＣコンバータ、通電するブロックを切り換えるスイッチ回路等により構成されており、電池の装着の有無、電池の種類及び電池残量の検出を行ない、必要な電圧を必要な期間、記録媒体２０３ａ，２０４ａを含む各部へ供給するものである。
【００７６】
次に、上記構成になる本実施の形態に係る記録再生装置の動作について、図３乃至図８のフローチャートに基づき説明する。
【００７７】
図３において、まず、ステップＳ３０１で、テープ記録モードであるか否かを判断する。そして、テープ記録モードでないと判断された場合は、ステップＳ３０２へ進んで、テープ再生モードであるか否かを判断する。そして、テープ再生モードでないと判断された場合は、次のステップＳ３０３へ進んで、電源を遮断した後、本処理動作を終了する。
【００７８】
また、前記ステップＳ３０１においてテープ記録モードであると判断された場合は、ステップＳ３０４へ進んで、カード記録モードであるか否かを判断する。そして、カード記録モードでないと判断された場合は、ステップＳ３０５へ進んで、カード再生モードであるか否かを判断する。そして、カード再生モードでないと判断された場合は、後述する図６の処理へ分岐する。
【００７９】
また、前記ステップＳ３０４においてカード記録モードであると判断された場合は図４の処理へ、また、前記ステップＳ３０５においてカード再生モードであると判断された場合は図５の処理へ、それぞれ分岐する。
【００８０】
また、前記ステップＳ３０２においてテープ再生モードであると判断された場合は、ステップＳ３０６へ進んで、カード記録モードであるか否かを判断する。そして、カード記録モードでないと判断された場合は、ステップＳ３０７へ進んで、カード再生モードであるか否かを判断する。そして、カード再生モードでないと判断された場合は、後述する図９の処理へ分岐する。
【００８１】
また、前記ステップＳ３０６においてカード記録モードであると判断された場合は図７の処理へ、また、前記ステップＳ３０７においてカード再生モードであると判断された場合は図８の処理へ、それぞれ分岐する。
【００８２】
図４は、テープ記録モードで且つカード記録モードである場合の動作の流れを示すフローチャートである。
【００８３】
図４において、まず、ステップＳ４０１で、カード部２０４の電源をオン（ＯＮ）にし、次のステップＳ４０２で、テープ部２０３の電源をオン（ＯＮ）にする。次に、ステップＳ４０３で、データフロー制御部２０５ａのデータの方向をカメラ部２０１からのデータが表示部２０２、テープ部２０３及びカード部２０４へ出力するように設定する。次に、ステップＳ４０４で、カード２０４ａの検出周期を第１の周期に設定する。
【００８４】
次に、ステップＳ４０５で、テープトリガースイッチ２０６ｃの操作を検知して、テープ記録指示があるか否かを判断する。そして、テープ記録指示があると判断された場合は、次のステップＳ４０６へ進んで、テープへの記録動作を開始した後、ステップＳ４０７へ進み、また、テープ記録指示がないと判断された場合は、ステップＳ４１１へ進んで、テープへの記録動作を停止した後、ステップＳ４０７へ進む。
【００８５】
ステップＳ４０７では、カードトリガースイッチ２０６ｄの操作を検知して、カード記録指示があるか否かを判断する。そして、カード記録指示があると判断された場合は、次のステップＳ４０８へ進んで、カード２０４ａの装着の有無の検知動作を実行する。次に、ステップＳ４０９へ進んで、カード２０４ａが記録再生装置本体１００に装着されているか否かを判断する。そして、カード２０４ａが記録再生装置本体１００に装着されていると判断された場合は、次のステップＳ４１０へ進んで、カード２０４ａへ画像を転送して記録した後、前記図３のステップＳ３０１へ戻る。
【００８６】
また、前記ステップＳ４０９においてカード２０４ａが記録再生装置本体１００に装着されていないと判断された場合は、ステップＳ４１５へ進んで、カード２０４ａが記録再生装置本体１００に装着されていないことを示す情報を表示部２０２の表示器２０２ａに表示した後、前記図３のステップＳ３０１へ戻る。
【００８７】
また、前記ステップＳ４０７においてカード記録指示がないと判断された場合は、ステップＳ４１２へ進んで、前記ステップＳ４０４において設定したカード装着検知の周期に基づき、前回カード装着の有無を検知してから設定周期分の時間が経過したか否かを判断する。そして、設定周期分の時間が経過しないと判断された場合は、前記図３のステップＳ３０１へ戻り、また、設定周期分の時間が経過したと判断された場合は、ステップＳ４１３へ進んで、カード２０４ａの装着の有無の検知動作を実行する。
【００８８】
次に、ステップＳ４１４へ進んで、カード２０４ａが記録再生装置本体１００に装着されているか否かを判断する。そして、カード２０４ａが記録再生装置本体１００に装着されていると判断された場合は、前記図３のステップＳ３０１へ戻り、また、カード２０４ａが記録再生装置本体１００に装着されていないと判断された場合は、前記ステップＳ４１５へ進んで、カード２０４ａが記録再生装置本体１００に装着されていないことを示す情報を表示部２０２の表示器２０２ａに表示した後、前記図３のステップＳ３０１へ戻る。
【００８９】
図５は、テープ記録モードで且つカード再生モードである場合の動作の流れを示すフローチャートである。
【００９０】
図５において、まず、ステップＳ５０１で、カード部２０４の電源をオン（ＯＮ）にし、次のステップＳ５０２で、テープ部２０３の電源をオン（ＯＮ）にする。次に、ステップＳ５０３で、データフロー制御部２０５ａのデータの方向をカメラ部２０１からのデータが表示部２０２、テープ部２０３、更にカード部２０４から表示部２０２、テープ部２０３へ出力するように設定する。次に、ステップＳ５０４で、カード２０４ａの検出周期を第２の周期に設定する。
【００９１】
次に、ステップＳ５０５で、カードトリガースイッチ２０６ｄの操作を検知して、カード再生指示があるか否かを判断する。そして、カード再生指示があると判断された場合は、次のステップＳ５０６へ進んで、カード２０４ａの装着の有無の検知動作を実行する。次に、ステップＳ５０７へ進んで、カード２０４ａが記録再生装置本体１００に装着されているか否かを判断する。そして、カード２０４ａが記録再生装置本体１００に装着されていると判断された場合は、次のステップＳ５０８へ進んで、カード２０４ａから画像を転送して再生した後、ステップＳ５１３へ進む。
【００９２】
また、前記ステップＳ５０７においてカード２０４ａが記録再生装置本体１００に装着されていないと判断された場合は、ステップＳ５０９へ進んで、カード２０４ａが記録再生装置本体１００に装着されていないことを示す情報を表示部２０２の表示器２０２ａに表示した後、ステップＳ５１３へ進む。
【００９３】
また、前記ステップＳ５０５においてカード再生指示がないと判断された場合は、ステップＳ５１０へ進んで、前記ステップＳ５０４において設定したカード装着検知の周期に基づき、前回カード装着の有無を検知してから設定周期分の時間が経過したか否かを判断する。そして、設定周期分の時間が経過したと判断された場合は、ステップＳ５１１へ進んで、カード２０４ａの装着の有無の検知動作を実行する。
【００９４】
次に、ステップＳ５１２へ進んで、カード２０４ａが記録再生装置本体１００に装着されているか否かを判断する。そして、カード２０４ａが記録再生装置本体１００に装着されていないと判断された場合は、前記ステップＳ５０９へ進んで、カード２０４ａが記録再生装置本体１００に装着されていないことを示す情報を表示部２０２の表示器２０２ａに表示した後、ステップＳ５１３へ進む。また、前記ステップＳ５１２においてカード２０４ａが記録再生装置本体１００に装着されていると判断された場合及び前記ステップＳ５１０において設定周期分の時間が経過しないと判断された場合は、いずれも直接ステップＳ５１３へ進む。
【００９５】
ステップＳ５１３では、テープトリガースイッチ２０６ｃの操作を検知して、テープ記録指示があるか否かを判断する。そして、テープ記録指示があると判断された場合は、次のステップＳ５１４へ進んで、テープへの記録動作を開始した後、前記図３のステップＳ３０１へ戻る。また、前記ステップＳ５１３においてテープ記録指示がないと判断された場合は、ステップＳ５１５へ進んで、テープへの記録動作を停止した後、前記図３のステップＳ３０１へ戻る。
【００９６】
図６は、テープ再生モードで且つカード記録モードの場合の動作の流れを示すフローチャートである。
【００９７】
図６において、まず、ステップＳ６０１で、カード部２０４の電源をオン（ＯＮ）にし、次のステップＳ６０２で、テープ部２０３の電源をオン（ＯＮ）にする。次に、ステップＳ６０３で、データフロー制御部２０５ａのデータの方向をテープ部２０３からカード部２０４、表示部２０２へ出力するように設定し、次のステップＳ６０４で、カード２０４ａの検出周期を第３の周期に設定する。次に、ステップＳ６０５で、テープトリガースイッチ２０６ｃの操作を検知して、テープ再生指示があるか否かを判断する。そして、テープ再生指示があると判断された場合は、次のステップＳ６０６へ進んで、テープへの再生動作を開始した後、ステップＳ６０８へ進み、また、テープ再生指示がないと判断された場合は、ステップＳ６０７へ進んで、テープへの再生動作を停止した後、ステップＳ６０８へ進む。
【００９８】
ステップＳ６０８では、カードトリガースイッチ２０６ｄの操作を検知して、カード記録指示があるか否かを判断する。そして、カード記録指示があると判断された場合は、次のステップＳ６０９へ進んで、カード２０４ａの装着の有無の検知動作を実行する。次に、ステップＳ６１０へ進んで、カード２０４ａが記録再生装置本体１００に装着されているか否かを判断する。そして、カード２０４ａが記録再生装置本体１００に装着されていると判断された場合は、次のステップＳ６１１へ進んで、カード２０４ａへ画像を転送して記録した後、前記図３のステップＳ３０１へ戻る。
【００９９】
また、前記ステップＳ６１０においてカード２０４ａが記録再生装置本体１００に装着されていないと判断された場合は、ステップＳ６１５へ進んで、カード２０４ａが記録再生装置本体１００に装着されていないことを示す情報を表示部２０２の表示器２０２ａに表示した後、前記図３のステップＳ３０１へ戻る。
【０１００】
また、前記ステップＳ６０８においてカード記録指示がないと判断された場合は、ステップＳ６１２へ進んで、前記ステップＳ６０４において設定したカード装着検知の周期に基づき、前回カード装着の有無を検知してから設定周期分の時間が経過したか否かを判断する。そして、設定周期分の時間が経過しないと判断された場合は、前記図３のステップＳ３０１へ戻り、また、設定周期分の時間が経過したと判断された場合は、ステップＳ６１３へ進んで、カード２０４ａの装着の有無の検知動作を実行する。
【０１０１】
次に、ステップＳ６１４へ進んで、カード２０４ａが記録再生装置本体１００に装着されているか否かを判断する。そして、カード２０４ａが記録再生装置本体１００に装着されていると判断された場合は、前記図３のステップＳ３０１へ戻り、また、カード２０４ａが記録再生装置本体１００に装着されていないと判断された場合は、前記ステップＳ６１５へ進んで、カード２０４ａが記録再生装置本体１００に装着されていないことを示す情報を表示部２０２の表示器２０２ａに表示した後、前記図３のステップＳ３０１へ戻る。
【０１０２】
図７は、テープ再生モードで且つカード再生モードの場合の動作の流れを示すフローチャートである。
【０１０３】
図７において、まず、ステップＳ７０１で、カード部２０４の電源をオン（ＯＮ）にし、次のステップＳ７０２で、テープ部２０３の電源をオン（ＯＮ）にする。次に、ステップＳ７０３で、データフロー制御部２０５ａのデータの方向をテープ部２０３からのデータが表示部２０２、更にカード部２０４から表示部２０２、テープ部２０３へ出力するように設定する。次に、ステップＳ７０４で、カード２０４ａの検出周期を第４の周期に設定する。
【０１０４】
次に、ステップＳ７０５で、カードトリガースイッチ２０６ｄの操作を検知して、カード再生指示があるか否かを判断する。そして、カード再生指示があると判断された場合は、次のステップＳ７０６へ進んで、カード２０４ａの装着の有無の検知動作を実行する。次に、ステップＳ７０７へ進んで、カード２０４ａが記録再生装置本体１００に装着されているか否かを判断する。そして、カード２０４ａが記録再生装置本体１００に装着されていると判断された場合は、次のステップＳ７０８へ進んで、カード２０４ａから画像を転送して再生した後、ステップＳ７１３へ進む。
【０１０５】
また、前記ステップＳ７０７においてカード２０４ａが記録再生装置本体１００に装着されていないと判断された場合は、ステップＳ７０９へ進んで、カード２０４ａが記録再生装置本体１００に装着されていないことを示す情報を表示部２０２の表示器２０２ａに表示した後、ステップＳ７１３へ進む。
【０１０６】
また、前記ステップＳ７０５においてカード再生指示がないと判断された場合は、ステップＳ７１０へ進んで、前記ステップＳ７０４において設定したカード装着検知の周期に基づき、前回カード装着の有無を検知してから設定周期分の時間が経過したか否かを判断する。そして、設定周期分の時間が経過したと判断された場合は、ステップＳ７１１へ進んで、カード２０４ａの装着の有無の検知動作を実行する。
【０１０７】
次に、ステップＳ７１２へ進んで、カード２０４ａが記録再生装置本体１００に装着されているか否かを判断する。そして、カード２０４ａが記録再生装置本体１００に装着されていないと判断された場合は、前記ステップＳ７０９へ進んで、カード２０４ａが記録再生装置本体１００に装着されていないことを示す情報を表示部２０２の表示器２０２ａに表示した後、ステップＳ７１３へ進む。また、前記ステップＳ７１２においてカード２０４ａが記録再生装置本体１００に装着されていると判断された場合及び前記ステップＳ７１０において設定周期分の時間が経過しないと判断された場合は、いずれも直接ステップＳ７１３へ進む。
【０１０８】
ステップＳ７１３では、テープトリガースイッチ２０６ｃの操作を検知して、テープ再生指示があるか否かを判断する。そして、テープ再生指示があると判断された場合は、次のステップＳ７１４へ進んで、テープからの再生動作を開始した後、前記図３のステップＳ３０１へ戻る。また、前記ステップＳ７１３においてテープ再生指示がないと判断された場合は、ステップＳ７１５へ進んで、テープからの再生動作を停止した後、前記図３のステップＳ３０１へ戻る。
【０１０９】
図８は、テープ記録モードで且つカードオフ（ＯＦＦ）モードの場合の動作の流れを示すフローチャートである。
【０１１０】
図８において、まず、ステップＳ８０１で、カード部２０４の電源をオン（ＯＮ）にし、次のステップＳ８０２で、テープ部２０３の電源をオン（ＯＮ）にする。次に、ステップＳ８０３で、データフロー制御部２０５ａのデータの方向をカメラ部２０１からのデータが表示部２０２、テープ部２０３へ出力するように設定する。次に、ステップＳ８０４で、カード２０４ａの検出周期を第５の周期に設定する。
【０１１１】
次に、ステップＳ８０５で、前記ステップＳ８０４において設定したカード装着検知の周期に基づき、前回カード装着の有無を検知してから設定周期分の時間が経過したか否かを判断する。そして、設定周期分の時間が経過したと判断された場合は、ステップＳ８０６へ進んで、カード２０４ａの装着の有無の検知動作を実行する。次に、ステップＳ８０７で、カード２０４ａが記録再生装置本体１００に装着されているか否かを判断する。そして、カード２０４ａが記録再生装置本体１００に装着されていると判断された場合は、次のステップＳ８０９へ進み、また、カード２０４ａが記録再生装置本体１００に装着されていないと判断された場合は、ステップＳ８０８へ進んで、カード２０４ａが記録再生装置本体１００に装着されていないことを示す情報を表示部２０２の表示器２０２ａに表示した後、ステップＳ８０９へ進む。
【０１１２】
ステップＳ８０９では、テープトリガースイッチ２０６ｃの操作を検知して、テープ再生指示があるか否かを判断する。そして、テープ再生指示があると判断された場合は、次のステップＳ８１０へ進んで、テープからの再生動作を開始した後、前記図３のステップＳ３０１へ戻る。また、前記ステップＳ８０９においてテープ再生指示がないと判断された場合は、ステップＳ８１１へ進んで、テープからの再生動作を停止した後、前記図３のステップＳ３０１へ戻る。
【０１１３】
図９は、テープ再生モードで且つカードオフ（ＯＦＦ）モードの場合の動作の流れを示すフローチャートである。図９において、まず、ステップＳ９０１で、カード部２０４の電源をオン（ＯＮ）にし、次のステップＳ９０２で、テープ部２０３の電源をオン（ＯＮ）にする。次に、ステップＳ９０３で、データフロー制御部２０５ａのデータの方向をテープ部２０３からのデータが表示部２０２へ出力するように設定する。次に、ステップＳ９０４で、カード２０４ａの検出周期を第６の周期に設定する。次に、ステップＳ９０５で、前記ステップＳ９０４において設定したカード装着検知の周期に基づき、前回カード装着の有無を検知してから設定周期分の時間が経過したか否かを判断する。そして、設定周期分の時間が経過したと判断された場合は、ステップＳ９０６へ進んで、カード２０４ａの装着の有無の検知動作を実行する。
【０１１４】
次に、ステップＳ９０７で、カード２０４ａが記録再生装置本体１００に装着されているか否かを判断する。そして、カード２０４ａが記録再生装置本体１００に装着されていると判断された場合は、次のステップＳ９０９へ進み、また、カード２０４ａが記録再生装置本体１００に装着されていないと判断された場合は、ステップＳ９０８へ進んで、カード２０４ａが記録再生装置本体１００に装着されていないことを示す情報を表示部２０２の表示器２０２ａに表示した後、ステップＳ９０９へ進む。ステップＳ９０９では、テープトリガースイッチ２０６ｃの操作を検知して、テープ記録指示があるか否かを判断する。そして、テープ記録指示があると判断された場合は、次のステップＳ９１０へ進んで、テープへの記録動作を開始した後、前記図３のステップＳ３０１へ戻る。
【０１１５】
また、前記ステップＳ９０９においてテープ記録指示がないと判断された場合は、ステップＳ９１１へ進んで、テープへの記録動作を停止した後、前記図３のステップＳ３０１へ戻る。
【０１１６】
以上のフロー中のカード２０４ａへのデータ記録中やデータ再生中は、カード２０４ａとシリアル通信でアクセスしているので、敢えてカード２０４ａが記録再生装置本体１００に装着されているか否かを検知するカード検知動作を行なわなくても良い。カード２０４ａが記録再生装置本体１００から取り外されれば、通信が切れる等してカード２０４ａの装着状態を検知可能である。その場合は、記録または再生処理を中止し、表示部２０２の表示器２０２ａに、カード２０４ａが記録再生装置本体１００から取り外されたことを示す情報を表示すれば良い。
【０１１７】
更に、以上のフロー中の、カード２０４ａの検出周期の設定処理におけるその設定値としては、全てのモード毎に別の周期を設定しても良い。これにより、より最適な細かなカード２０４ａの装着状態の検知が可能となる。
【０１１８】
また、本実施の形態に係る記録再生装置は、記憶媒体に格納された制御プログラムをコンピュータが読み出して実行することにより、上述した本実施の形態の機能が実現されるものであるが、本発明はこれに限定されるものではなく、前記制御プログラムの指示に基づきコンピュータ上で稼働しているＯＳ（オペレーティングシステム）等の実際の処理の一部または全部を行い、その処理によって上述した本実施の形態の機能が実現される場合も含まれることは言うまでもない。
【０１１９】
また、制御プログラムを格納する記憶媒体としては、例えば、フロッピーディスク、ハードディスク、光ディスク、光磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）、磁気テープ、不揮発性メモリカード、ＲＯＭチップ等を用いることができる。
【０１２０】
（第２の実施の形態）
次に、本発明の第２の実施の形態を図１０に基づき説明する。
【０１２１】
尚、本実施の形態に係る記録再生装置の基本的な構成は、上述した第１の実施の形態の図１及び図２と同一であり、また、本実施の形態に係る記録再生装置の動作の流れは、上述した第１の実施の形態の図３と同一であるから、これら各図を流用して説明する。
【０１２２】
本実施の形態は、カード２０４ａが記録再生装置本体１００に装着されている場合と、カード２０４ａが記録再生装置本体１００に装着されていない場合とで、カード装着の有無検知の頻度を変えるようにしたものである。例えば、カード２０４ａが記録再生装置本体１００に装着されている場合は、カード装着の有無検知の頻度を高め、また、カード２０４ａが記録再生装置本体１００に装着されていない場合は、カード装着の有無検知の頻度を低くするものである。
【０１２３】
図１０は、テープ記録モードで且つカード記録モードである場合の動作の流れを示すフローチャートである。
【０１２４】
図１０において図４と異なる点は、図４のステップＳ４０４を削除し、ステップＳ１００９、ステップＳ１０１５及びステップＳ１０１６を付加したことである。
【０１２５】
図１０において、まず、ステップＳ１００１で、カード部２０４の電源をオン（ＯＮ）にし、次のステップＳ１００２で、テープ部２０３の電源をオン（ＯＮ）にする。次に、ステップＳ１００３で、データフロー制御部２０５ａのデータの方向をカメラ部２０１からのデータが表示部２０２、テープ部２０３及びカード部２０４へ出力するように設定する。
【０１２６】
次に、ステップＳ１００４で、テープトリガースイッチ２０６ｃの操作を検知して、テープ記録指示があるか否かを判断する。そして、テープ記録指示があると判断された場合は、次のステップＳ１００５へ進んで、テープへの記録動作を開始した後、ステップＳ１００６へ進み、また、テープ記録指示がないと判断された場合は、ステップＳ１０１１へ進んで、テープへの記録動作を停止した後、ステップＳ１００６へ進む。
【０１２７】
ステップＳ１００６では、カードトリガースイッチ２０６ｄの操作を検知して、カード記録指示があるか否かを判断する。そして、カード記録指示があると判断された場合は、次のステップＳ１００７へ進んで、カード２０４ａの装着の有無の検知動作を実行する。次に、ステップＳ１００８へ進んで、カード２０４ａが記録再生装置本体１００に装着されているか否かを判断する。そして、カード２０４ａが記録再生装置本体１００に装着されていると判断された場合は、次のステップＳ１００９へ進んで、カード２０４ａの検出周期を第１０の周期に設定する。次に、ステップＳ１０１０へ進んで、カード２０４ａへ画像を転送して記録した後、前記図３のステップＳ３０１へ戻る。
【０１２８】
また、前記ステップＳ１００６においてカード記録指示がないと判断された場合は、ステップＳ１０１２へ進んで、予め設定したカード装着検知の周期（本実施の形態では、図４のステップＳ４０４に相当する処理ステップを省略したことにより、前記ステップＳ１０１２を初めて実行するときは、検出周期が設定されていないので、本装置の電源が投入された直後の初期時に検出周期が適切に設定されているものとする）に基づき、前回カード装着の有無を検知してから設定周期分の時間が経過したか否かを判断する。そして、設定周期分の時間が経過しないと判断された場合は、前記図３のステップＳ３０１へ戻り、また、設定周期分の時間が経過したと判断された場合は、ステップＳ１０１３へ進んで、カード２０４ａの装着の有無の検知動作を実行する。次に、ステップＳ１０１４へ進んで、カード２０４ａが記録再生装置本体１００に装着されているか否かを判断する。そして、カード２０４ａが記録再生装置本体１００に装着されていると判断された場合は、次のステップＳ１０１５へ進んで、カード２０４ａの検出周期を第１０の周期に設定した後、前記図３のステップＳ３０１へ戻る。また、カード２０４ａが記録再生装置本体１００に装着されていないと判断された場合は、ステップＳ１０１６へ進んで、カード２０４ａの検出周期を第１１の周期に設定する。次に、ステップＳ１０１７へ進んで、カード２０４ａが記録再生装置本体１００に装着されていないことを示す情報を表示部２０２の表示器２０２ａに表示した後、前記図３のステップＳ３０１へ戻る。
【０１２９】
また、前記ステップＳ１００８においてカード２０４ａが記録再生装置本体１００に装着されていないと判断された場合は、前記ステップＳ１０１６へ進んで、カード２０４ａの検出周期を第１１の周期に設定する。
【０１３０】
前記ステップＳ１０１０及びステップＳ１０１５において設定される第１０の検出周期は、前記ステップＳ１０１６において設定される第１１の検出周期よりも短い値とする。つまり、カード装着検知後、カード２０４ａが記録再生装置本体１００に装着されていれば、前記ステップＳ１０１０及びステップＳ１０１５において短めの第１０の周期設定を実行し、また、カード２０４ａが記録再生装置本体１００に装着されていなければ、前記ステップＳ１０１６において長めの第１１の周期設定を実行するものである。
【０１３１】
また、テープ記録モードで且つカード再生モードの場合の動作の流れを示すフローチャートである図５、テープ再生モードで且つカード記録モードの場合の動作の流れを示すフローチャートである図６、テープ再生モードで且つカード再生モードの場合の動作の流れを示すフローチャートである図７、テープ記録モードで且つカードオフ（ＯＦＦ）モードの場合の動作の流れを示すフローチャートである図８、テープ再生モードで且つカードオフ（ＯＦＦ）モードの場合の動作の流れを示すフローチャートである図９のそれぞれについても、図１０と同様の変更、つまり、データフロー設定処理ステップ直後の周期設定処理ステップを省略し、カード検知後、カード２０４ａが記録再生装置本体１００に装着されていれば、短めの第１０の周期設定を実行し、また、カード２０４ａが記録再生装置本体１００に装着されていなければ、長めの第１１の周期設定を実行する処理ステップを追加すれば良い。
【０１３２】
カード２０４ａが記録再生装置本体１００に装着されていない状態では、操作社の装置の使い方の意図として、当然カード２０４ａへのアクセスは考えていないはずである。従って、この場合、カード部２０４への無駄な通信を避けていることは、消費電力を削減する上で大きな効果がある。
【０１３３】
尚、本実施の形態に係るその他の構成及び作用は上述した第１の実施の形態と同一である。
【０１３４】
（第３の実施の形態）
動作モードの特徴を考えると、ＣＰＵプログラム上の管理等は合理的になり、、プログラムサイズの削減が期待できる。
【０１３５】
そのためには、例えば、次のようにすれば良い。
【０１３６】
カード２０４ａへの記録処理が含まれるモードでは検出周期を短くし、カード２０４ａへの記録処理が含まれないモードでは検出周期を長くする。
【０１３７】
例えば、テープ記録モードで且つカード記録モードの場合の動作の流れを示すフローチャートである図４のステップＳ４０４での第１の周期及びテープ再生モードで且つカード記録モードの場合の動作の流れを示すフローチャートである図６のステップＳ６０４での第３の周期を互いに等しく０．１秒周期に設定し、テープ記録モードで且つカード再生モードの場合の動作の流れを示すフローチャートである図５のステップＳ５０４での第２の周期及びテープ再生モードで且つカード再生モードの場合の動作の流れを示すフローチャートである図７のステップＳ７０４での第４の周期及びテープ記録モードで且つカードオフ（ＯＦＦ）モードの場合の動作の流れを示すフローチャートである図８のステップＳ８０４での第５の周期及びテープ再生モードで且つカードオフ（ＯＦＦ）モードの場合の動作の流れを示すフローチャートである図９のステップＳ９０４での第６の周期を互いに等しく０．５秒周期に設定する。
【０１３８】
カード２０４ａへのデータ記録時に記録トリガーを操作してから、カード２０４ａが記録再生装置本体１００に装着されていないことに気付いた場合、もう一度撮影し直さなければならない。二度とない貴重な撮影のタイミングを逃す虞がある。
【０１３９】
また、データをテープ２０３ａから再生してカード２０４ａに記録する場合は、データは既にテーブ２０３ａに記録されているので、データを失う虞はないが、カード２０４ａへの記録トリガーを操作してから、カード２０４ａが記録再生装置本体１００に装着されていないことが判明すると、もう一度テープ２０３ａを巻き戻さなければならず、操作が面倒である。
【０１４０】
そのため、本実施の形態では、カード記録時には高頻度でカード２０４ａの装着を検知している。記録時に比べれば、再生時にカード２０４ａが記録再生装置本体１００から取り出されてもカード０４ａに対する影響は少ない。
【０１４１】
再生トリガーを操作してから、カード２０４ａが記録再生装置本体１００に装着されていないことに気付いても、再生したいデータはカード０４ａに既に記録されているため、その時点でカード２０４ａを記録再生装置本体１００に装着しても何等問題はない。
【０１４２】
その分、再生時はカード２０４ａへの余分な通信を省いて消費電力を削減できる利点がある。
【０１４３】
尚、本実施の形態に係るその他の構成及び作用は上述した第１の実施の形態と同一である。
【０１４４】
（第４の実施の形態）
テープ記録モードで且つカード記録モードの場合も、テープまき戻しなどのやり直しの手間があるので、そのモードでのカード検知周期を短くするのも効果的である。
【０１４５】
例えば、テープ記録モードで且つカード記録モードの場合の動作の流れを示すフローチャートである図４のステップＳ４０４での第１の周期を０．１秒周期に、また、テープ記録モードで且つカード再生モードの場合の動作の流れを示すフローチャートである図５のステップＳ５０４での第２の周期を０．１秒周期に、また、テープ再生モードで且つカード記録モードの場合の動作の流れを示すフローチャートである図６のステップＳ６０４での第３の周期を０．１秒周期に、また、テープ再生モードで且つカード再生モードの場合の動作の流れを示すフローチャートである図７のステップＳ７０４での第４の周期を０．５秒周期に、また、テープ記録モードで且つカードオフ（ＯＦＦ）モードの場合の動作の流れを示すフローチャートである図８のステップＳ８０４での第５の周期を１．０秒周期に、更に、テープ再生モードで且つカードオフ（ＯＦＦ）モードの場合の動作の流れを示すフローチャートである図９のステップＳ９０４での第６の周期を１．０秒周期に設定するものである。
尚、本実施の形態に係るその他の構成及び作用は上述した第１の実施の形態と同一である。
【０１４６】
（第５の実施の形態）
カード２０４ａを使用しないモードでは、本来カード２０４ａの装着の有無をを確認する必要はない。それでもカード２０４ａの装着の有無を検知するのは、カード２０４ａを記録再生装置本体１００から取り出した場合に、カード２０４ａが記録再生装置本体１００から取り出されたことを示す情報を表示部２０２に表示するためである。
【０１４７】
そこで、更に消費電力を削減したい場合、カードオフ（ＯＦＦ）モードでのカード検知周期を他のモードでのカード検知周期に比べて長くしても良い。
【０１４８】
例えば、テープ記録モードで且つカード記録モードの場合の動作の流れを示すフローチャートである図４のステップＳ４０４での第１の周期を０．１秒周期に、また、テープ記録モードで且つカード再生モードの場合の動作の流れを示すフローチャートである図５のステップＳ５０４での第２の周期を０．１秒周期に、また、テープ再生モードで且つカード記録モードの場合の動作の流れを示すフローチャートである図６のステップＳ６０４での第３の周期を０．１秒周期に、また、テープ再生モードで且つカード再生モードの場合の動作の流れを示すフローチャートである図７のステップＳ７０４での第４の周期を０．１秒周期に、また、テープ記録モードで且つカードオフ（ＯＦＦ）モードの場合の動作の流れを示すフローチャートである図８のステップＳ８０４での第５の周期を３．０秒周期に、更に、テープ再生モードで且つカードオフ（ＯＦＦ）モードの場合の動作の流れを示すフローチャートである図９のステップＳ９０４での第６の周期を３．０秒周期に設定するものである。
【０１４９】
尚、本実施の形態に係るその他の構成及び作用は上述した第１の実施の形態と同一である。
【０１５０】
（第６の実施の形態）
更に消費電力の削減を図りたい場合においては、カード２０４ａを使用しないモードでは、カード２０４ａを記録再生装置本体１００から取り出した場合に、カード２０４ａが記録再生装置本体１００から取り出されたことを表示部２０２に表示しないようにしても良い。
【０１５１】
つまり、テープ記録モードで且つカードオフ（ＯＦＦ）モード及びテープ再生モードで且つカードオフ（ＯＦＦ）モードでは、カード検知処理とカード２０４ａがない場合の表示処理を行わなくても良い。
【０１５２】
従って、カード部２０４に対する電源投入も行わない。
【０１５３】
この場合の動作は、図８のステップＳ８０１、ステップＳ８０４、ステップＳ８０５、ステップＳ８０６、ステップＳ８０７及びステップＳ８０９をそれぞれ省略し、ステップＳ８０３からステップＳ８０８へ直接移行するようし、また、図９のステップＳ９０１、ステップＳ９０４、ステップＳ９０５、ステップＳ９０６、ステップＳ９０７及びステップＳ９０９をそれぞれ省略し、ステップＳ９０３からステップＳ９０８へ直接移行するようにすれば実施可能である。
【０１５４】
本来カード２０４ａを使用しないときにカード２０４ａの装着状態が表示部２０２に表示されるのは煩わしくもあり、操作者に混乱を与える虞がある。
【０１５５】
本実施の形態では、この点も改善され、分かりやすい操作及び表示機能を提供することができる。また、更なる消費電力の削減も可能になる。
【０１５６】
尚、本実施の形態に係るその他の構成及び作用は上述した第１の実施の形態と同一である。
【０１５７】
また、専用のカード検知端子を持つカードでは、その端子で別の端子を直接監視できるので、本発明に係る手段を採用する必要はないが、適用不可能なものではない。
【０１５８】
配線数を削減したい場合や、データ読み書き用のＣＰＵ以外にカード検知用のＣＰＵを設けられない場合等の事情がある場合は、本発明の適用は効果的である。
【０１５９】
また、カード２０４ａとのインターフェースも、上述した各実施の形態のＭＭＣに限られるものではなく、１本のシリアル通信から複数のシリアル通信、更にはＣＦカードのようなパラレル通信でも、同様に実施可能である。
【０１６０】
【発明の効果】
以上詳述したように本発明の記録再生装置及びその制御方法によれば、動作モードに応じてカード検知頻度を適宜変更するので、例えば、カード検知専用の端子を持たないカードでも、消費電力をむやみに増大させることなく且つモード毎に適切なタイミングでカードの装着の有無を検知することが可能となり、カードが装着されていないことに気付いたりして、結果的に情報を記録する機会を逃してしまうなどの失敗を防ぐことが可能になる。
【０１６１】
また、本発明の記録再生装置及びその制御方法によれば、例えば、カード再生モードでは、記録モード時よりカード検知頻度を低下させるので、上記効果に加えて、装置を制御するプログラム上の管理が合理的になり、プログラムサイズの削減が期待でき、結果的にシステムのコストを削減することが可能である。
【図面の簡単な説明】
【図１】本発明の第１の実施の形態に係る記録再生装置の外観構成を示す図である。
【図２】本発明の第１の実施の形態に係る記録再生装置の内部構成を示すブロック図である。
【図３】本発明の第１の実施の形態に係る記録再生装置の動作の流れを示すフローチャートである。
【図４】本発明の第１の実施の形態に係る記録再生装置の動作の流れを示すフローチャートである。
【図５】本発明の第１の実施の形態に係る記録再生装置の動作の流れを示すフローチャートである。
【図６】本発明の第１の実施の形態に係る記録再生装置の内部構成を示すブロック図である。
【図７】本発明の第１の実施の形態に係る記録再生装置の動作の流れを示すフローチャートである。
【図８】本発明の第１の実施の形態に係る記録再生装置の動作の流れを示すフローチャートである。
【図９】本発明の第１の実施の形態に係る記録再生装置の動作の流れを示すフローチャートである。
【図１０】本発明の第２の実施の形態に係る記録再生装置の動作の流れを示すフローチャートである。
【図１１】従来の記録再生装置を説明するための図である。
【図１２】図１２とは異なる従来の記録再生装置を説明するための図である。
【図１３】図１２に示す従来の記録再生装置における信号を説明するための図である。
【図１４】図１２に示す従来の記録再生装置における信号を説明するための図である。
【符号の説明】
１００    記録再生装置本体
１０１    レンズ部
１０２    表示部
１０３    テープモードスイッチ
１０４    カードモードスイッチ
１０５    テープトリガースイッチ
１０６    カードトリガースイッチ
１０７    操作スイッチ
２０１    カメラ撮像部
２０１ａ  レンズ部
２０１ｂ  撮像処理部
２０２    表示部
２０２ａ  表示器
２０２ｂ  表示処理部
２０３    テープ部
２０３ａ  テープ
２０３ｂ  テープ処理部
２０４    カード部
２０４ａ  カード
２０４ｂ  カード処理部
２０５    システム制御部
２０５ａ  データフロー制御部
２０５ｂ  メインＣＰＵ（ＣＰＵ＿Ａ）
２０６    操作部
２０６ａ  テープモードスイッチ
２０６ｂ  カードモードスイッチ
２０６ｃ  テープトリガースイッチ
２０６ｄ  カードトリガースイッチ
２０６ｅ  操作スイッチ
２０６ｆ  サブＣＰＵ（ＣＰＵ＿Ｂ）
２０７    電源制御部
【図１】
0004350267.tif 000002
【図２】
0004350267.tif 000003
【図３】
0004350267.tif 000004
【図４】
0004350267.tif 000005
【図５】
0004350267.tif 000006
【図６】
0004350267.tif 000007
【図７】
0004350267.tif 000008
【図８】
0004350267.tif 000009
【図９】
0004350267.tif 000010
【図１０】
0004350267.tif 000011
【図１１】
0004350267.tif 000012
【図１２】
0004350267.tif 000013
【図１３】
0004350267.tif 000014
【図１４】
0004350267.tif 000015